(57)【特許請求の範囲】
【請求項１】
表示部と、
前記表示部の複数箇所に配置された温度特性を有する輝度センサと、
前記表示部の複数箇所に配置された温度センサと、
前記温度センサ及び輝度センサから温度値及び輝度値を取得する取得制御手段と、
前記表示部の向き又は画面設定に基づいて、前記温度センサから取得する温度値の取得頻度を前記表示部の予め決められた領域ごとに決定する決定手段と、
前記温度センサから取得された温度値を用いて、前記輝度センサから取得された輝度値を補正する補正手段と、
前記補正手段により補正された輝度値を目標輝度値として前記表示部の輝度を制御する画像処理手段と、を有することを特徴とする画像表示装置。
【請求項２】
前記決定手段は、前記表示部の向きが縦向きの場合と横向きの場合とで、前記表示部の所定位置に配置された温度センサからの取得頻度が異なるように決定することを特徴とする請求項１に記載の画像表示装置。
【請求項３】
前記決定手段は、前記表示部の画面設定が、前記表示部を第１領域および第２領域に分割して表示するマルチ画面表示モードである場合に、前記第１領域に配置された温度センサからの取得頻度と、前記第２領域に配置された温度センサからの取得頻度とが異なるように決定することを特徴とする請求項１に記載の画像表示装置。
【請求項４】
さらに、前記表示部の向きを示す情報、又は前記表示部の画面設定を示す情報を取得する情報取得手段を有し、
前記決定手段は、前記情報取得手段により取得された情報に基づいて、前記温度センサから取得する温度値の取得頻度を決定することを特徴とする請求項１乃至３のいずれか１項に記載の画像表示装置。
【請求項５】
前記決定手段は、前記表示部の向き又は画面設定に応じて予め設定された前記表示部の温度上昇パターンと、前記画像表示装置の起動時からの経過時間に応じて前記取得頻度を決定することを特徴とする請求項４に記載の画像表示装置。
【請求項６】
前記決定手段は、前記表示部の温度上昇速度が他の領域に比べて大きい領域に配置された温度センサからの取得頻度をより高くすることを特徴とする請求項４又は５に記載の画像表示装置。
【請求項７】
前記温度センサ及び輝度センサは、前記表示部の同位置に１つずつ配置され、複数箇所に均等に配置されていることを特徴とする請求項１乃至６のいずれか１項に記載の画像表示装置。
【請求項８】
前記決定手段は更に、前記輝度センサから取得する輝度値の取得頻度を決定し、前記温度センサから取得する温度値の取得頻度と、前記輝度センサから取得する輝度値の取得頻度とが同じになるように取得頻度を決定することを特徴とする請求項１乃至７のいずれか１項に記載の画像表示装置。
【請求項９】
表示部と、前記表示部の複数箇所に配置された温度特性を有する輝度センサと、前記表示部の複数箇所に配置された温度センサと、を有する画像表示装置の制御方法であって、
前記温度センサ及び輝度センサから温度値及び輝度値を取得する取得制御工程と、
前記表示部の向き又は画面設定に基づいて、前記温度センサから取得する温度値の取得頻度を前記表示部の予め決められた領域ごとに決定する決定工程と、
前記温度センサから取得された温度値を用いて、前記輝度センサから取得された輝度値を補正する補正工程と、
前記補正工程により補正された輝度値を目標輝度値として前記表示部の輝度を制御する画像処理工程と、を有することを特徴とする制御方法。
【請求項１０】
前記決定工程では、前記表示部の向きが縦向きの場合と横向きの場合とで、前記表示部の所定位置に配置された温度センサからの取得頻度が異なるように決定することを特徴とする請求項９に記載の画像表示装置の制御方法。
【請求項１１】
前記決定工程では、前記表示部の画面設定が、前記表示部を第１領域および第２領域に分割して表示するマルチ画面表示モードである場合に、前記第１領域に配置された温度センサからの取得頻度と、前記第２領域に配置された温度センサからの取得頻度とが異なるように決定することを特徴とする請求項９に記載の画像表示装置の制御方法。
【請求項１２】
さらに、前記表示部の向きを示す情報、又は前記表示部の画面設定を示す情報を取得する情報取得工程を有し、
前記決定工程では、前記情報取得工程により取得された情報に基づいて、前記温度センサから取得する温度値の取得頻度を決定することを特徴とする請求項９乃至１１のいずれか１項に記載の画像表示装置の制御方法。
【請求項１３】
前記決定工程では、前記表示部の向き又は画面設定に応じて予め設定された前記表示部の温度上昇パターンと、前記画像表示装置の起動時からの経過時間に応じて前記取得頻度を決定することを特徴とする請求項１２に記載の画像表示装置の制御方法。
【請求項１４】
前記決定工程では、前記表示部の温度上昇速度が他の領域に比べて大きい領域に配置された温度センサからの取得頻度をより高くすることを特徴とする請求項１２又は１３に記載の画像表示装置の制御方法。
【請求項１５】
前記温度センサ及び輝度センサは、前記表示部の同位置に１つずつ配置され、複数箇所に均等に配置されていることを特徴とする請求項９乃至１４のいずれか１項に記載の画像表示装置の制御方法。
【請求項１６】
前記決定工程では更に、前記輝度センサから取得する輝度値の取得頻度を決定し、前記温度センサから取得する温度値の取得頻度と、前記輝度センサから取得する輝度値の取得頻度とが同じになるように取得頻度を決定することを特徴とする請求項９乃至１５のいずれか１項に記載の画像表示装置の制御方法。
【請求項１７】
請求項９から請求項１６までのいずれか１項に記載の制御方法の各工程をコンピュータに実行させるためのプログラム。
【請求項１８】
請求項９から請求項１６までのいずれか１項に記載の制御方法の各工程をコンピュータに実行させるためのプログラムを記憶したコンピュータによる読み取りが可能な記憶媒体。
【発明の詳細な説明】
【技術分野】
【０００１】
本発明は、映像信号を表示する画像表示装置に関するものである。
【背景技術】
【０００２】
近年、画像表示装置として液晶表示装置が主流になっている。液晶表示装置は液晶パネルの背面から光源（以下、バックライト）を照射し、透過光を観測することで画像を表示する。
【０００３】
液晶表示装置の構成要素である液晶パネルにおいて、液晶パネルの液晶駆動量と液晶パネルの温度との間には相関がある。また、バックライトとして主流となりつつある発光ダイオード（以下、ＬＥＤ）及び輝度や色をフィードバック制御するために搭載される輝度センサなども温度特性を持っている。よって、いかなる温度においても安定した画像を表示するために、温度に応じて液晶パネルの駆動状態を変更する必要がある。
【０００４】
上記課題を解決するために、特許文献１では、液晶表示装置に予め設定された液晶パネルの温度上昇特性を利用して液晶駆動量を制御している。具体的には、現在の温度及び液晶表示装置の起動後からの経過時間を計時し、経過時間と温度上昇特性とから液晶駆動量を決定している。
【先行技術文献】
【特許文献】
【０００５】
【特許文献１】特開２００８−０４６２８９号公報
【発明の概要】
【発明が解決しようとする課題】
【０００６】
しかしながら、上記特許文献１では、起動後からの経過時間という特定の状態と関連付けた温度上昇特性のみを利用して液晶駆動量を制御しているため、特定の状態ではない場合には所望の効果が得られない可能性がある。液晶表示装置はユーザ操作によっていくつか異なる状態に変更できるものがある。
【０００７】
図１６は、ユーザ操作によって表示装置の画面の向きが変更される場合を例示している。図１６に示す横向き１６０１や縦向き１６０２のように、表示装置は設置される向きよって温度上昇特性が異なる可能性がある。また、図１７は、シングル画面表示時とマルチ画面表示時の状態を示す図である。図１７のマルチ画面１７０２に示すように、２つの表示領域にそれぞれ異なる画像処理を施した画像を表示する場合、画像処理の内容によって温度上昇特性が変化することも考えられる。
【０００８】
さらに、温度上昇特性は画面内の部分的な領域ごとに異なっている可能性がある。例えば、液晶表示装置に搭載される電源回路は発熱が大きいため、電源回路付近は他の領域と比較してより温度上昇が著しいと考えられる。
【０００９】
このように、画面の領域ごとに異なる温度上昇特性を持ち、設置する画面の向きや表示画面の状態（シングル画面表示やマルチ画面表示など）によって温度上昇特性が変化する場合、表示装置の画面の領域ごとの温度状況を正しく取得し、画面の領域や状態に応じた温度上昇特性に従って駆動制御を実行することが重要となる。
【００１０】
従来技術では、表示装置の画面の領域ごとの温度特性が異なる場合について考慮されていないため、画面全体に対して正しく安定した画像を表示できない場合があった。
【００１１】
本発明は、上記課題に鑑みてなされ、その目的は、画像表示装置の画面の領域ごとの温度特性に応じて、表示画面の輝度を適切に制御できる表示制御技術を実現することである。
【課題を解決するための手段】
【００１２】
上述の課題を解決するために、本発明の画像表示装置は、表示部と、前記表示部の複数箇所に配置された温度特性を有する輝度センサと、前記表示部の複数箇所に配置された温度センサと、前記温度センサ及び輝度センサから温度値及び輝度値を取得する取得制御手段と、前記表示部の向き又は画面設定に基づいて、前記温度センサから取得する温度値の取得頻度を前記表示部の予め決められた領域ごとに決定する決定手段と、前記温度センサから取得された温度値を用いて、前記輝度センサから取得された輝度値を補正する補正手段と、前記補正手段により補正された輝度値を目標輝度値として前記表示部の輝度を制御する画像処理手段と、を有する。
【発明の効果】
【００１３】
本発明によれば、画像表示装置の画面の領域ごとの温度特性に応じて、表示画面の輝度を適切に制御できる。
【図面の簡単な説明】
【００１４】
【図１】本発明に係る実施形態の画像表示装置の構成を示すブロック図。
【図２】図１の各ブロックの詳細な機能を示すブロック図。
【図３】実施形態１における画像表示装置の起動時の処理を示すフローチャート。
【図４】横向き設置時の表示パネルのセンサのレイアウトを示す図。
【図５】横向き設置時の表示パネル内部の温度変化を説明する図。
【図６】横向き設置時のセンサ値の取得頻度を決定する処理を説明する図。
【図７】縦向き設置時の表示パネルのセンサのレイアウトを示す図。
【図８】縦向き設置時の表示パネル内部の温度変化を説明する図。
【図９】縦向き設置時の各センサのセンサ値の取得頻度を示す図。
【図１０】実施形態１における画像表示装置の定常状態遷移までの処理を示すフローチャート。
【図１１】センサ値に基づく輝度のフィードバック制御処理を示すフローチャート。
【図１２】実施形態２における画像表示装置の起動時の処理を示すフローチャート。
【図１３】マルチ画面表示モードにおいて画面ごとに輝度値が異なる場合のセンサのレイアウトを示す図。
【図１４】マルチ画面表示モードにおいて画面ごとに輝度値が異なる場合の表示パネルの温度変化を説明する図。
【図１５】マルチ画面表示モードにおいて画面ごとに輝度値が異なる場合のセンサ値の取得頻度を示す図。
【図１６】画像表示装置の設置方向を例示する図。
【図１７】画像表示装置の画面設定を例示する図。
【発明を実施するための形態】
【００１５】
以下に、本発明を実施するための形態について詳細に説明する。尚、以下に説明する実施の形態は、本発明を実現するための一例であり、本発明が適用される装置の構成や各種条件によって適宜修正又は変更されるべきものであり、本発明は以下の実施の形態に限定されるものではない。また、後述する各実施形態の一部を適宜組み合わせて構成しても良い。
【００１６】
本発明の画像表示装置は、画像表示装置の画面の領域ごとの温度特性に応じて、表示部の複数箇所に配置された輝度センサ及び温度センサのうち、少なくとも温度センサのセンサ値の取得頻度を変更することで、表示部の温度状態に応じた輝度制御を行い、適正な輝度で画像を表示できる。ここで画像表示装置の画面の領域ごとの温度特性とは、表示部の領域ごとに生じる温度上昇速度の相違であり、画像表示装置の設定及び起動時からの経過時間に依存している。
【００１７】
［実施形態１］実施形態１として、輝度センサにより検出した表示部の輝度情報を用いて、表示部の輝度を目標輝度値にフィードバック制御する画像表示装置について説明する。ここで、画像表示装置に搭載される輝度センサは温度特性を持ち、周囲温度によって輝度センサにより検出される値が異なるため、輝度センサの検出値を補正する温度センサも併せ持つ。実施形態１は、この画像表示装置の設置向きが縦向きと横向きの場合に表示部の所定位置に配置されたセンサのセンサ値の取得頻度を変更する。
【００１８】
＜装置構成＞図１を参照して、画像表示装置の構成について説明する。
【００１９】
図１において、レシーバ１０１は、画像表示装置１００に入力される映像信号を受信する。映像信号はＤｉｓｐｌａｙＰｏｒｔ（以下、ＤＰ）やＤｉｇｉｔａｌ Ｖｉｓｕａｌ Ｉｎｔｅｒｆａｃｅ（以下、ＤＶＩ）、Ｈｉｇｈ−Ｄｅｆｉｎｉｔｉｏｎ Ｍｕｌｔｉｍｅｄｉａ Ｉｎｔｅｒｆａｃｅ（以下、ＨＤＭＩ）などの映像入力端子から入力される。
【００２０】
画像処理部１０２はレシーバ１０１から入力された映像信号に対し、各種画像処理を施す。画像処理の具体的な例としては、輝度の変更やコントラストの変更、入力解像度の変更などが挙げられる。画像処理部１０２にて処理された結果が後述の表示パネル１０３へ転送され、実際にユーザに提示される。
【００２１】
表示パネル１０３は、画像表示装置１００に入力された映像信号を表示し、ユーザに提示する機能を担う。表示パネル１０３の具体的な例として、液晶表示パネルが挙げられる。液晶表示パネルは、液晶画面の背面からバックライトにより光を投射し、液晶の透過率を調整して映像を表示する。本実施形態では表示パネル１０３として液晶表示パネルを想定している。表示パネル１０３には液晶パネルとバックライトの双方を含むものとする。
【００２２】
輝度センサ１０４は、表示パネル１０３に隣接するように複数箇所に配置され、表示パネル１０３の輝度値を測定する。輝度センサ１０４で測定した輝度値は、表示パネル１０３に提示する画像の輝度を目標輝度値に合わせる処理に利用される。輝度センサ１０４は図１では１つのブロックで表現されているが、画像表示装置１００の内部に複数の輝度センサ１０４が分布して搭載される。
【００２３】
温度センサ１０５は、輝度センサ１０４と同様に表示パネル１０３に隣接するように複数箇所に配置され、輝度センサ１０４の周囲の温度を測定する。輝度センサ１０４は上述したように温度特性を持ち、周囲温度によってセンサ値が変化する。従って、温度センサ１０５により周囲温度を測定し、輝度センサ１０４により測定されたセンサ値を補正することにより、実際の表示パネル１０３の輝度値が算出される。温度センサ１０５も輝度センサ１０４と同様に、画像表示装置１００の内部に複数個が分布して搭載される。
【００２４】
メモリ１０６は各種のデータの一時保存用に使用される。一時保存されるデータとしては、輝度センサ１０４により測定されたセンサ値を、温度センサ１０５にて補正する際の計算結果及びその中間データ、または後述するフローチャートのようにＣＰＵ１０７が実行するプログラムなどが挙げられる。
【００２５】
ＣＰＵ１０７は、画像表示装置１００に関する各種の処理を実行する演算処理装置である。ＣＰＵ１０７にて後述するセンサ値取得処理やセンサ値取得頻度決定処理などが実行される。
【００２６】
蓄積媒体１０８は、画像表示装置１００に関する各種の情報を記録する。画像表示装置１００の画像処理や表示パネル１０３の設置向きに関するユーザ設定情報が蓄積保存される。画像表示装置１００がジャイロセンサ等を有する場合は、自動的に表示パネル１０３の向きが検出され、蓄積媒体１０８に蓄積保存される。また、画像表示装置１００内部の温度上昇パターンに関する情報も保存される。
【００２７】
各ハードウエアブロックは、内部バス１０９にて接続され、データの送受信が内部バス１０９を介して実行される。
【００２８】
次に、図２を参照して、図１の各ブロックの機能について説明する。なお、図２の各ブロックの機能は、基本的に図１のＣＰＵ１０７により実現される。
【００２９】
図２において、センサ値取得制御部２０１は、輝度センサ１０４及び温度センサ１０５により測定された各センサ値を取得する。各センサからのセンサ値の取得は定期的に実行される。また画像表示装置１００の内部に複数の輝度センサ１０４及び温度センサ１０５が搭載されており、各センサのセンサ値が適宜取得される。
【００３０】
センサ値取得頻度決定部２０２は、画像表示装置１００の各種情報及び画像表示装置１００の起動後の経過時間に基づいて、画像表示装置１００に搭載される複数の輝度センサ１０４及び温度センサ１０５からセンサ値を取得する頻度を決定する。本実施形態においては、複数の輝度センサ１０４及び温度センサ１０５からセンサ値を取得する頻度を同一の取得頻度とするが、異なる取得頻度としてもよい。決定されたセンサ値取得頻度はセンサ値取得制御部２０１に通知され、センサ値取得制御部２０１は指定された取得頻度に従って輝度センサ１０４及び温度センサ１０５からセンサ値を取得する。
【００３１】
ただし、複数の輝度センサ１０４からセンサ値を取得する頻度を固定とし、センサ値取得頻度決定部２０２は、画像表示装置１００の各種情報及び画像表示装置１００の起動後の経過時間に基づいて、画像表示装置１００に搭載される複数の温度センサ１０５からセンサ値を取得する頻度のみを決定してもよい。
【００３２】
情報取得部２０３は、蓄積媒体１０８から各種の情報を取得する処理を行う。情報取得部２０３から読み出される情報には、画像表示装置１００の表示パネル１０３の設置方向や画像表示装置１００に適用される画像処理に関する情報、画像表示装置１００内部の温度上昇パターンに関する情報などがある。画像処理に関する情報には、ユーザにより設定された画像表示装置１００の目標輝度値も含まれる。情報取得部２０３にて読み出された各種の情報はセンサ値取得頻度決定部２０２に転送され、転送された情報に基づいて、センサ値取得頻度決定部２０２にてセンサ値の取得頻度が決定される。
【００３３】
画像処理制御部２０４は、図１の画像処理部１０２を制御して、画像表示装置１００に入力される映像信号に対して各種の画像処理を施す。画像処理制御部２０４は、後述するセンサ値補正処理部２０５により補正された輝度値に基づき目標輝度値に向けて画像処理を実行する。具体的には図１の表示パネル１０３において、バックライトを制御する信号を、画像処理部１０２を介して通知する。現在の輝度値が目標輝度値より低い場合にはバックライトの出力を上げることで、輝度を高める処理を行い、現在の輝度値が目標輝度値より高い場合はバックライトの出力を下げる処理を行う。
【００３４】
センサ値補正処理部２０５は、センサ値取得制御部２０１により取得した温度値に基づいて、センサ値取得制御部２０１により取得した輝度値を補正する。輝度センサ１０４は温度特性を持つデバイスであるため、温度センサ１０５により測定された温度値に基づいて、輝度センサ１０４のセンサ値を補正する。補正した輝度値は画像処理制御部２０４に転送され、画像処理制御部２０４にて前述の画像処理に供される。
【００３５】
タイマ２０６は、画像表示装置１００の起動後の経過時間を計測する。計測された経過時間はセンサ値取得頻度決定部２０２に転送され、センサ値取得頻度決定部２０２において経過時間及び情報取得部２０３から読み出された値に基づいて、センサ値の取得頻度が決定される。
【００３６】
次に、図３を参照して、実施形態１における画像表示装置１００の起動時の処理について説明する。図３は、画像表示装置１００に電源が投入された後、各センサのセンサ値の取得頻度が決定され、決定された取得頻度をセンサ値取得制御部２０１に設定するまでの処理を示している。なお、以下の処理は、ＣＰＵ１０７が図２の各機能ブロックとして、蓄積媒体１０８に記録されたプログラムを実行することによって実現される。
【００３７】
図３において、画像表示装置１００の起動後、ステップＳ３０１にて、情報取得部２０３が画像表示装置１００の各種情報を読み出す。ここでは画像表示装置１００の設置方向が縦向きであるか横向きであるかを示す情報が読み出される。
【００３８】
ステップＳ３０２では、ＣＰＵ１０７は、ステップＳ３０１で読み出した情報に基づいて画像表示装置１００の設置方向を判定する。設置方向が横向きである場合はステップＳ３０３へ遷移し、設置方向が縦向きである場合はステップＳ３０４へ遷移する。
【００３９】
以降、画像表示装置１００が横向きに設置されている場合について説明する。
【００４０】
ステップＳ３０３では、情報取得部２０３は、蓄積媒体１０８から、横向き設置時の温度上昇パターン情報を取得する。
【００４１】
ステップＳ３０５にて、ＣＰＵ１０７は、タイマ２０６により画像表示装置１００の起動後からの経過時間を計測する。
【００４２】
ステップＳ３０６では、センサ値取得頻度決定部２０２は、ステップＳ３０５にて計測された経過時間と、ステップＳ３０３にて取得された温度上昇パターン情報に基づいて、センサ値の取得頻度を決定する。
【００４３】
ここで、図４を参照して、ステップＳ３０６にて実行されるセンサ値の取得頻度決定処理について説明する。図４は表示パネル１０３における輝度センサ１０４及び温度センサ１０５のレイアウトを模式的に示している。図４では輝度センサ１０４と温度センサ１０５がそれぞれ同数の１５個ずつ表示パネル上に配置されている様子を示している。輝度センサ１０４と温度センサ１０５は表示パネル１０３上の同位置に１つずつ配置され、それが図４の４０１から４１５に示す箇所に均等に配置されている。
【００４４】
画像表示装置１００には、図４に示すように熱源４１６となるいくつかの構成要素が存在する。熱源４１６は例えば画像表示装置１００の電源装置や、図１のＣＰＵ１０７などが考えられる。画像表示装置１００において、熱源４１６に近い領域ほど画像表示装置１００の起動時からの温度上昇の変化が急峻で、遠いほど温度上昇の変化が緩やかであると考えられる。
【００４５】
次に図５を参照して、画像表示装置１００の内部の温度変化について説明する。図５は画像表示装置１００の内部の複数の領域それぞれの温度上昇パターンを示している。図５（ａ）に示すように、表示パネル１０３は、温度上昇速度の違いにより、領域５０１、領域５０２、領域５０３の３領域に分けられる。領域５０１は熱源に最も近い領域であり、領域５０１の温度変化が最も激しい。また、領域５０３は熱源の影響を最も受けない領域であると考えられ、温度変化が最も緩やかである。領域５０２は領域５０１と領域５０３の中間の温度変化となる。領域５０１、領域５０２、領域５０３のそれぞれの領域における温度変化の温度上昇パターンはそれぞれ、図５（ｂ）〜（ｄ）のグラフ５１１、５１２、５１３に示される。これらの温度上昇パターンは蓄積媒体１０８に予め記録されている。図５から、温度変化の激しい領域５０１では、より頻度の高い温度測定を行うことで、それぞれの時間における温度を正確に把握することが可能となる。
【００４６】
ここで、図６を参照して、センサ値取得頻度決定部２０２が、各センサのセンサ値の取得頻度を決定する処理について説明する。
【００４７】
図６において、ステップＳ６０１にて、図３のステップＳ３０５にて取得した経過時間を利用して、それぞれの領域の経過時間における傾きを求める。傾きが急峻である地点ほど、温度上昇速度が速いと判断できるため、ステップＳ６０２ではこの傾きを用いて各領域のセンサ値取得頻度を決定する。取得頻度を決定するための算出式を図６（ｂ）に示す。図６（ｂ）は、傾きを重みとして利用し、全システムで取得可能な最大のセンサ値取得頻度から、より傾きの大きい領域にその取得頻度を割り当てる式とする。図６（ｃ）は図６（ａ）のフローチャートによって決定された各センサのセンサ値取得頻度を示し、図５（ａ）の領域５０１に属するセンサについて、最も単位時間当たりのセンサ値取得回数が最も多くなっている。なお、図６（ｂ）の算出式は一例であり、温度変化が急峻な領域により多くのセンサ値を割り当てることが可能であれば、他の算出式でもかまわない。
【００４８】
ステップＳ３０７では、ステップＳ３０６で決定されたセンサ値の取得頻度がセンサ値取得制御部２０１に設定される。センサ値取得制御部２０１は設定された取得頻度に従って、輝度センサ１０４及び温度センサ１０５からセンサ値を取得する。
【００４９】
以上により、画像表示装置１００の横向き設置時における各センサの取得頻度が決定され、決定された取得頻度に従ってセンサ値が取得される。取得頻度はより温度変化が激しい領域の頻度を高くすることを行うため、温度状態を正確に把握することができ、正確な画像処理のフィードバック制御が実現可能である。
【００５０】
同様に、図３のステップＳ３０２にて、画像表示装置１００の設置方向が縦向きであると判定された場合は、ステップＳ３０４にて縦向きの温度上昇パターンが、情報取得部２０３により読み出される。
【００５１】
縦向き時のステップＳ３０４以降の手順は上記横向き時と同様である。
【００５２】
次に図７を参照して、縦向き設置時のステップＳ３０６でのセンサ値取得頻度決定処理について説明する。図７は、表示パネル１０３における輝度センサ１０４及び温度センサ１０５のレイアウトを模式的に示し、図４の横向きの表示パネル１０３を右に９０度回転させた状態である。
【００５３】
まず図８を参照して、画像表示装置１００の内部の温度変化について説明する。図８は画像表示装置１００の内部の複数の領域それぞれの温度上昇パターンを示している。図８（ａ）に示すように、表示パネル１０３は、温度上昇速度の違いにより、領域８０１、領域８０２、領域８０３の３領域に分けられる。領域８０１は熱源に最も近い領域であり、領域８０１の温度変化が最も激しい。また、領域８０３は熱源の影響を最も受けにくい領域であると考えられ、温度変化が最も緩やかである。領域８０２は領域８０１と領域８０３の中間の温度変化となる。領域８０１、領域８０２、領域８０３それぞれにおける温度変化の温度上昇パターンはそれぞれ、図５（ｂ）〜（ｄ）のグラフ８１１、８１２、８１３に示される。これらの温度上昇パターンは蓄積媒体１０８に予め記録されている。図８から、温度変化の激しい領域８０１では、より頻度の高い温度測定を行うことで、それぞれの時間における温度を正確に把握することが可能となる。
【００５４】
そして、センサ値取得頻度決定部２０２が、図９に示すセンサ値取得頻度から、各センサのセンサ値の取得頻度を決定する。図９では、図８の領域８０１に属するセンサほど、より単位時間当たりのセンサ値取得回数が多くなっている。
【００５５】
以上説明したように、画像表示装置１００の起動時において、画像表示装置１００の設置方向の違いを考慮したセンサ値の取得頻度を決定することが可能となる。これにより、画像表示装置１００の設置方向が変化した場合であっても、常に正確な温度が測定可能となり、正確な輝度で表示するためのフィードバック制御が可能となる。
【００５６】
次に図１０を参照して、ＣＰＵ１０７による、起動後の経過時間に応じて、センサ値の取得頻度を変更する処理について説明する。図１０は画像表示装置１００の起動後に、温度上昇の変化が定常状態に遷移し、取得頻度を全てのセンサに対して一定とする処理を示している。
【００５７】
図１０において、ステップＳ１００１では、センサ値取得制御部２０１は温度センサ１０５からセンサ値を取得する。
【００５８】
ステップＳ１００２では、ステップＳ１００１で取得した温度値を、メモリ１０６に保存する。ここでは取得した温度値を時系列に複数保存する。
【００５９】
ステップＳ１００３では、前回に取得した温度値と今回測定した温度値との比較を行う。
【００６０】
ステップＳ１００４にて温度値の差分が閾値以上の場合は、ステップＳ１００５にて画像表示装置１００の起動後の経過時間を計測する。その後、ステップＳ１００６では、現在の経過時間及び画像表示装置１００の設置向きに従ってセンサ値の取得頻度が再度決定される。
【００６１】
ステップＳ１００７では、センサ値取得制御部２０１に新しい取得頻度が設定される。なお、図１０のステップＳ１００５からステップＳ１００７までの処理は、図３のステップＳ３０５からステップＳ３０７までの処理と同様であるため、説明を省略する。
【００６２】
一方、ステップＳ１００４にて温度値の差分が閾値未満の場合は、ステップＳ１００８にてセンサ値の取得頻度を全てのセンサに対して同じ値とする。これにより、画像表示装置１００が定常状態、つまり温度変化がほとんどない状態でのセンサ値取得頻度が決定される。その後、ステップＳ１００９では、センサ値取得制御部２０１に取得頻度が設定され、以降、画像処理制御部２０４は設定された取得頻度に従いセンサ値の取得と輝度のフィードバック制御を実行する。
【００６３】
次に図１１を参照して、画像処理制御部２０４がセンサ値を利用して輝度のフィードバック制御を行う処理について説明する。図１１では特定のセンサに着目したフィードバック制御処理を示している。なお、図１１に示す処理は、画像表示装置１００が起動し、入力映像が表示されている状態において基本的に実行される。
【００６４】
ステップＳ１１０１、Ｓ１１０２では、センサ値取得制御部２０１が温度センサ１０５から温度値、輝度センサ１０４から輝度値をそれぞれ取得する。
【００６５】
ステップＳ１１０３では、センサ値補正処理部２０５が、ステップＳ１１０１で取得した温度値に基づいて、ステップＳ１１０２により取得した輝度値を補正する。ステップＳ１１０３で輝度値を補正する理由は、輝度センサ１０４が温度特性を持つために、測定時の温度によって輝度値が影響を受けるためである。
【００６６】
ステップＳ１１０４では、画像処理制御部２０４が、ステップＳ１１０３にて補正された輝度値と、予め設定された目標輝度値とに差分があるか否かを判定し、差分がある場合はステップＳ１１０５に遷移する。
【００６７】
ステップＳ１１０５では、画像処理制御部２０４が画像処理部１０２を介して、入力映像を目標輝度値で表示するように輝度を調整する。具体的には画像処理制御部２０４が目標輝度値となるように輝度の補正処理を行い、画像処理部１０２を介して表示パネル１０３のバックライトの照度を制御する。
【００６８】
以上の処理を定常的に実行することで、常に目標輝度値で入力映像を表示することが可能となる。
【００６９】
上述した実施形態１によれば、画像表示装置１００の設置方向の違いによる表示パネル１０３の温度上昇の変化を考慮した正確な温度の測定が可能となる。その結果、輝度センサ１０４からのセンサ値を高精度に補正でき、表示パネル１０３の輝度を適切にフィードバック制御できるようになる。
【００７０】
［実施形態２］実施形態２は、画像表示装置１００の表示パネル１０３を複数の領域（第１領域及び第２領域）に分割して表示するマルチ画面表示モードにおいて、各画面ごとに画像処理の設定が異なる場合に、温度センサ１０５からの取得頻度を変更する例である。なお、実施形態２を実現するためのハードウエア構成及び機能ブロック構成は実施形態１と同様であるため、説明を省略する。
【００７１】
以下に、図１２を参照して、センサ値取得頻度決定部２０２が、実施形態２における画像表示装置１００の起動後に、センサ値の取得頻度を決定する処理について説明する。
【００７２】
図１２において、画像表示装置１００の起動後、ステップＳ１２０１では、情報取得部２０３が画像表示装置１００の各種情報を読み出す。ここでは画像表示装置１００の表示パネル１０３について、マルチ画面表示モードに設定され、各画面に適用される画像処理が異なっているか否かを示す情報が読み出される。なお、ここでの画像処理とは画面ごとの輝度値、すなわち、画面の明るさ設定のことである。
【００７３】
ステップＳ１２０２では、センサ値取得頻度決定部２０２が、ステップＳ１２０１で読み出した情報に基づいて画像表示装置１００の画面設定を判定する。マルチ画面表示モードに設定されかつ画面ごとの輝度値が異なる設定の場合はステップＳ１２０３へ遷移する。
【００７４】
ステップＳ１２０３では、情報取得部２０３が、蓄積媒体１０８から各画面の輝度値に関する温度上昇パターンを取得する。
【００７５】
一方、ステップＳ１２０２にて画面全体に同一の輝度値が設定されている場合は、情報取得部２０３は、ステップＳ１２０４にて単一の輝度値に関する温度上昇パターンを蓄積媒体１０８から読み出す。
【００７６】
ステップＳ１２０５では、画像表示装置１００の起動後からの経過時間が、タイマ２０６により計測される。
【００７７】
ステップＳ１２０６では、センサ値取得頻度決定部２０２が、ステップＳ１２０５にて計測された起動後からの経過時間と、ステップＳ１２０３又はＳ１２０４にて取得した温度上昇パターンとに基づいてセンサ値の取得頻度を決定する。
【００７８】
なお、本実施形態においては、複数の輝度センサ１０４及び温度センサ１０５からセンサ値を取得する頻度を同一の取得頻度とするが、異なる取得頻度としてもよい。また、複数の輝度センサ１０４からセンサ値を取得する頻度を固定とし、センサ値取得頻度決定部２０２は、画像表示装置１００の各種情報及び画像表示装置１００の起動後の経過時間に基づいて、画像表示装置１００に搭載される複数の温度センサ１０５からセンサ値を取得する頻度のみを決定してもよい。
【００７９】
ここで図１３を参照して、ステップＳ１２０６でのセンサ値の取得頻度決定処理について説明する。なお、以下では、ステップＳ１２０２にて、画面ごとに異なる輝度値が設定されている場合について説明する。図１３はマルチ画面表示モード時の表示パネル１０３における輝度センサ１０４及び温度センサ１０５のレイアウトを模式的に示している。輝度センサ１０４と温度センサ１０５はそれぞれ同数の１５個ずつ表示パネル１０３上に配置されている。輝度センサ１０４と温度センサ１０５は表示パネル１０３上の同位置に１つずつ配置され、図１３の１３０１から１３１５に示す箇所に均等に配置されている。また、図１３は２画面分割表示状態であり、図１３の１３２０で示す領域と１３３０で示す領域とで異なる輝度値が設定されている。図１３の１３２０で示す領域は１３３０で示す領域よりもより高い輝度値が設定されている。一般的に輝度値が高い領域ほど、温度上昇の変化が急峻で、輝度値が低い領域ほど温度上昇が緩やかである。従って、図１３の１３２０で示す領域はより温度上昇の変化が急峻であり、領域１３３０は緩やかである。
【００８０】
次に図１４を参照して、画像表示装置１００の内部の温度変化について説明する。図１４は画像表示装置１００の内部の複数の領域それぞれの温度上昇パターンを示している。図１４に示すように、表示パネル１０３は、温度上昇速度の違いにより、領域１４０１、領域１４０２、領域１４０３の３領域に分けられる。領域１４０１は輝度値が高い領域であり、領域１４０１の温度変化が最も激しい。また、領域１４０３は輝度値が低い領域であるため、温度変化が最も緩やかである。領域１４０２は領域１４０１と領域１４０３の中間の温度変化となる。領域１４０１、領域１４０２、領域１４０３のそれぞれの領域における温度変化の温度上昇パターンはそれぞれ、図１４（ｂ）〜（ｄ）のグラフ１４１１、１４１２、１４１３に示される。これらの温度上昇パターンは蓄積媒体１０８に予め記録されている。図１４から、温度変化の激しい領域１４０１ではセンサ値の取得頻度を高くすることで、経過時間に応じた温度を正確に把握することが可能となる。
【００８１】
そして、センサ値取得頻度決定部２０２が、図１５に示すセンサ値取得頻度から、各センサのセンサ値の取得頻度を決定する。取得頻度の決定処理は実施形態１において、図６を用いて説明した手順と同様である。図１５の各センサのセンサ値取得頻度では、図１４の領域１４０１に属するセンサに対し、最も単位時間当たりの取得回数が多くなっている。
【００８２】
図１２の説明に戻り、ステップＳ１２０７では、ステップＳ１２０６にて決定された取得頻度がセンサ値取得制御部２０１に設定される。センサ値取得制御部２０１は設定された取得頻度に従って、輝度センサ１０４及び温度センサ１０５からセンサ値を取得する。
【００８３】
以上の実施形態２では、画像表示装置１００の起動時において、画像表示装置１００のマルチ画面表示モードにおける画面ごとの輝度値の違いを考慮したセンサ値の取得頻度を決定することが可能となる。これにより、画像表示装置１００の画面ごとの輝度値が異なる場合であっても、常に正確な温度が測定可能となり、正確な輝度で表示するためのフィードバック制御が可能となる。
【００８４】
なお、定常状態へ遷移するまでの処理、及び通常時の輝度補正フィードバック制御に関する処理は、実施形態１の図１０及び図１１と同様である。
【００８５】
上述した実施形態２によれば、画像表示装置１００のマルチ画面表示モードにおける画面ごとの輝度値の違いによる表示パネル１０３の温度上昇の変化を考慮した正確な温度の測定が可能となる。その結果、輝度センサ１０４からのセンサ値を高精度に補正でき、表示パネル１０３の輝度を適切にフィードバック制御できるようになる。
【００８６】
［他の実施形態］本発明は、以下の処理を実行することによっても実現される。即ち、上記実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
0005284457.tif 000002
【図２】
0005284457.tif 000003
【図３】
0005284457.tif 000004
【図４】
0005284457.tif 000005
【図５】
0005284457.tif 000006
【図６】
0005284457.tif 000007
【図７】
0005284457.tif 000008
【図８】
0005284457.tif 000009
【図９】
0005284457.tif 000010
【図１０】
0005284457.tif 000011
【図１１】
0005284457.tif 000012
【図１２】
0005284457.tif 000013
【図１４】
0005284457.tif 000014
【図１５】
0005284457.tif 000015
【図１６】
0005284457.tif 000016
【図１３】
0005284457.tif 000017
【図１７】
0005284457.tif 000018